(57)【要約】  多重宛先メッセージをフィルタリングするための通信システムが開示される。この通信システムは、多くの送信機、一つのインターフェース、一つの第一のフィルタ、および一つの第二のフィルタを含んでいる。多くの送信機は、多くの無線端末へと情報を無線で送るように構成される。インターフェースは、多くの無線端末の少なくとも幾つかのために意図されたメッセージを受信するように構成され、ここでの多くの無線端末には一つの無線端末が含まれる。第一のフィルタは、予め定められた地理学的基準に一般的に対応する、多くの送信機のサブセットを決定するように構成され、ここでのサブセットはメッセージを送信するように構成される。第二のフィルタは、無線端末が予め定められた地理学低基準に対応するかどうかを決定するように構成される。【選択図】    ４Ａ
2009510843.tif 000002
【特許請求の範囲】
【請求項１】
多重宛先メッセージをフィルタリングするための通信システムであって：
複数の無線端末へと無線で情報を送るように構成された複数の送信機と；
複数の無線端末の少なくとも幾つかのためを意図されたメッセージを受信するように構成されたインターフェースであって、前記複数の無線端末は一つの無線端末を含むものであるインターフェースと；
予め定められた地理学的基準に一般的に対応する前記複数の送信機のサブセットを決定するように構成された第一のフィルタであって、前記サブセットはメッセージを送信するように構成された第一のフィルタと；
前記無線端末が前記予め定められた地理学的基準に対応するかどうかを決定するように構成された第二のフィルタと
を含んでなる通信システム。
【請求項２】
請求項１に記載の多重宛先メッセージをフィルタリングするための通信システムであって、前記無線端末が前記メッセージを受信する通信システム。
【請求項３】
請求項１に記載の多重宛先メッセージをフィルタリングするための通信システムであって、前記予め定められた地理学的基準が、二次元または三次元の地理学的形状、市民生活上の境界、高さ、移動の速度または方向の少なくとも一つに対応する通信システム。
【請求項４】
請求項１に記載の多重宛先メッセージをフィルタリングするための通信システムであって、前記第二のフィルタは、前記無線端末の過去の位置に基づいて、前記無線端末が前記予め定められた地理学的基準に対応するかどうかを決定する通信システム。
【請求項５】
請求項１に記載の多重宛先メッセージをフィルタリングするための通信システムであって、前記第二のフィルタは、前記無線端末の予想される将来の位置に基づいて、前記無線端末が前記予め定められた地理学的基準に対応するかどうかを決定する通信システム。
【請求項６】
請求項１に記載の多重宛先メッセージをフィルタリングするための通信システムであって、前記第一および第二のフィルタの少なくとも一方が地理学的に離間されている通信システム。
【請求項７】
請求項１に記載の多重宛先メッセージをフィルタリングするための通信システムであって、前記第二のフィルタが前記無線端末と同じ場所に配置される通信システム。
【請求項８】
請求項１に記載の多重宛先メッセージをフィルタリングするための通信システムであって、更に、如何なる警報機構が前記メッセージを活性化すべきかを決定するように構成された警報機能を含んでなる通信システム。
【請求項９】
請求項８に記載の多重宛先メッセージをフィルタリングするための通信システムであって、前記警報機構が、状態ライト、画面メッセージ、音響、または振動の少なくとも一つを含んでなる通信システム。
【請求項１０】
請求項１に記載の多重宛先メッセージをフィルタリングするための通信システムであって、前記メッセージは、前記予め定められた地理学的基準を特定するメタデータを含んでいる通信システム。
【請求項１１】
多重宛先メッセージをフィルタリングするための方法であって：
複数の無線端末の少なくとも幾つかを指定したメッセージを受信し、ここでの複数の無線端末は一つの無線端末を含むものであるステップと；
複数の送信機のサブセットを決定し、ここでの該サブセットは一般に予め定められた地理学的基準に対応するステップと；
前記メッセージを、前記サブセットを使用して多くの無線端末へと無線送信するステップと；
前記無線端末が、前記予め定められた地理学的基準に対応するかどうかを決定するステップと
を含んでなる方法。
【請求項１２】
請求項１１に記載の多重宛先メッセージをフィルタリングするための方法であって、更に、少なくとも部分的には前記第二の列記された決定ステップに基づいて、前記メッセージを受信するステップを含んでなる方法。
【請求項１３】
請求項１１に記載の多重宛先メッセージをフィルタリングするための方法であって：更に、
前記無線端末を用いて前記メッセージを受信することを開始するステップと；
前記第二の列記された決定ステップに基づいて、前記メッセージの受信を中断するステップと
を含んでなる方法。
【請求項１４】
請求項１１に記載の多重宛先メッセージをフィルタリングするための方法であって、前記第二の列記された決定ステップが、第一の列記された決定ステップから離間して行われる方法。
【請求項１５】
請求項１１に記載の多重宛先メッセージをフィルタリングするための方法であって、前記第一の列記された決定ステップが、前記複数の送信機の、前記予め定められた地理学的基準の中に送信できるサブセットを決定するサブステップを含んでなる方法。
【請求項１６】
請求項１１に記載の多重宛先メッセージをフィルタリングするための方法であって：更に、
前記メッセージを分析して、複数の可能な警報から一つの警報を決定するステップと；
前記警報を発生するステップと
を含んでなる方法。
【請求項１７】
放送もしくはマルチキャストメッセージをフィルタリングするための通信システムであって：
複数の無線端末の少なくとも幾つかを指定したメッセージを受信するための手段であって、前記複数の無線端末は一つの無線端末を含むものである手段と；
複数の相違新規のサブセットを決定するための第一の手段であって、前記サブセットは一般に、予め定められた地理学的基準に対応する手段と；
前記サブセットを使用して、前記複数の無線端末にメッセージを無線で送信するための手段と；
前記無線端末が、前記予め定められた地理学的基準に対応するかどうかを決定するための第二の手段と
を含んでなる通信システム。
【請求項１８】
放送もしくはマルチキャストメッセージをフィルタリングするための請求項１７に記載の通信システムであって、更に、前記無線端末が前記予め定められた地理学的基準に対応すれば前記メッセージを受信するための手段を含んでなる通信システム。
【請求項１９】
放送もしくはマルチキャストメッセージをフィルタリングするための請求項１７に記載の通信システムであって：更に、
前記無線端末を用いて前記メッセージの受信を開始するための手段と；
前記無線端末が前記予め定められた地理学的基準に対応しなければ、前記メッセージの受信を中断するための手段と
を含んでなる通信システム。
【請求項２０】
放送もしくはマルチキャストメッセージをフィルタリングするための請求項１７に記載の通信システムであって、前記決定するための第二の手段が、前記決定するための第一の手段から離間して配置される通信システム。
【請求項２１】
放送もしくはマルチキャストメッセージをフィルタリングするための請求項１７に記載の通信システムであって、前記決定するための第一の手段は、前記サブセットを、前記予め定められた地理学的基準の中に送信できる複数の送信機のサブセットとして決定する通信システム。
【請求項２２】
放送もしくはマルチキャストメッセージをフィルタリングするための請求項１７に記載の通信システムであって：更に、
前記メッセージを分析して、複数の可能な警報から一つの警報を決定するステップと；
前記警報を発生するステップと
を含んでなる通信システム。
【請求項２３】
放送またはマルチキャストメッセージをフィルタリングするための通信装置であって：該通信装置は、
プロセッサであって、
複数の無線端末の少なくとも幾つかを指定したメッセージを受信するように構成され、ここでの複数の無線端末は１つの無線端末をふくむものであり；
複数の送信機のサブセットを決定するように構成され、ここでの該サブセットは、一般には予め定められた地理学的基準に対応するものであり；
前記無線端末が前記予め定められた地理学的基準に対応するかどうかを決定するように構成され；また
前記サブセットを使用して、前記メッセージを無線で複数の無線端末に送信するように構成されたプロセッサと；
前記プロセッサに結合されたメモリーと
を具備してなる通信装置。
【請求項２４】
放送またはマルチキャストメッセージをフィルタリングするための請求項２３に記載の通信装置であって、前記予め定められた地理学的基準は、二次元または三次元の地理学的形状、市民生活上の境界、高さ、移動の速度または方向の少なくとも一つに対応する通信装置。
【請求項２５】
放送またはマルチキャストメッセージをフィルタリングするための請求項２３に記載の通信装置であって、前記第二のフィルタは、前記無線端末の過去の位置に基づいて、前記無線端末が前記予め定められた地理学的基準に対応するかどうかを決定する通信装置。
【請求項２６】
放送またはマルチキャストメッセージをフィルタリングするための請求項２３に記載の通信装置であって、前記第二のフィルタは、前記無線端末の予想される将来の位置に基づいて、前記無線端末が前記予め定められた地理学的基準に対応するかどうかを決定する通信装置。
【発明の詳細な説明】
【優先権の主張】
【０００１】
本件出願は、２００５年９月２２日に提出された「地理学に基づく無線放送のフィルタリング」と題する、本願の譲渡人に譲渡された米国仮出願第６０／７１９，８０８号の優先権を主張するものであり、該仮出願の全体の内容を全ての目的のために明示的に本明細書の一部として援用する。
【０００２】
本件出願は、２００６年９月２１日に出願された「位置に基づく通信制御システム」と題する未だ番号が付されていない米国特許出願（暫定的に代理人事件番号第０６００１０により参照する）に関し、これは本願の譲渡人に譲渡されており、その全体を全ての目的で本願明細書の一部として明示的に援用する。
【発明の背景】
【０００３】
本件の開示は、一般には無線通信に関し、更に特定すれば、多くの端末に対してメッセージを送るロケーションアウエア通信システムに関する。
【０００４】
現在の無線放送およびマルチキャストサービスは、全てのユーザに対して（即ち、放送）、または指定されたユーザの位置に関して限定的に複数のユーザに対して（即ち、マルチキャスト）、情報を送ることができる。標的ユーザの位置は、現在のところ、せいぜいセル区画レベルにまで制御できる程度である。この粗い位置精度も、ユーザおよび放送者にとって興味のある多くのサービスについては充分であることができる（例えば、スポーツイベントでの観客に対して、他の場所で行われている同様のイベントの結果に関する情報を提供する）。しかし、粗い位置制御レベル（即ち、セル区画分解度）は、特定の情報を受信することを必要としているユーザ、または該特定の情報に興味を有するであろうユーザと、この情報を必要とせず、または興味を持たないであろうユーザとを、常に効果的に識別できる訳ではないであろう。
【０００５】
種々のタイプの放送およびマルチキャストサービスが、無線ネットワークについて既に定義されており、或いは現在定義されている。これらには、第三世代のパートナーシップ計画（３ＧＰＰ）によって定義されているモバイル通信用グローバルシステム（ＧＳＭ）、一般的パケット無線サービス（ＧＰＲＳ）、並びにユニバーサルモバイル地上波サービス（ＵＭＴＳ）および進化型ＵＭＴＳネットワークのための、マルチメディア放送マルチキャストサービス（ＭＢＭＳ）が含まれる。セル放送サービス（ＣＢＳ）は、欧州電気通信標準化協会（ＥＴＳＩ）によって既に定義されており、３ＧＰＰにより維持される。また、現在定義されているのは、ＯＭＡによる放送サービス、３ＧＰＰ２による放送／マルチキャストサービス（ＢＣＭＣＳ）、デジタルビデオ放送（ＢＶＢ−Ｈ）、およびＭｅｄｉａＦＬＯTM、並びに種々の他のサービスである。これらのサービスは、異なる種類の情報（例えばビデオクリップ、テキストメッセージ、オーディオメッセージ、およびマルチメディアメッセージ）が、特定の地理学的エリア（潜在的にはセル区画レベルにまで再分化して定義される）における特定グループの無線ユーザおよび全てのユーザの両方に送られることを可能にし、また特定の無線ネットワークによって供給されるであろう。このサービスは、特定組の標的ユーザを選別するために、種々のタイプの粗いフィルタ（例えばマルチキャストグループの個性、特定のセル区画の個性、複数のセル区画を含むより大きな地理学的エリアの個性）を用いる。
【０００６】
全ての興味あるユーザまたは従来の技術に影響されるユーザに到達するために、情報は、興味あるユーザまたは影響されるユーザ、並びに興味のないユーザおよび影響されないユーザの両方に送られる。これは、邪魔になる情報負荷の一般的なレベルを増大させ、潜在的にはネットワークプロバイダおよびユーザに対するコストを増大させ、最も重要な情報、例えば緊急事態情報をユーザに警報するのを困難にする。
【０００７】
予め定められた規定のメッセージを送るために、電話番号を呼び出す緊急マルチキャストサービスが存在する。例えば、警報電話呼び出しは、竜巻が接近しているときに行うことができるであろう。該グループにおける各電話番号は、マルチキャストの一部である。電話番号は、その電話番号に付随する住所に基づいて選択される。
【０００８】
幾つかの天気および緊急事態の通知システムは、ラジオ放送またはテレビジョン放送を使用する。この情報は、特定のチャンネルまたは信号を受信する全ての人に送られる。屡々、この通知放送は、そのような天気または緊急事態が関係する場所を指定する。ユーザは、該通知に対して手動で反応し、または反応しないことができる。
【概要】
【０００９】
一つの実施形態において、本開示は、多重宛先メッセージをフィルタリングするための通信システムを提供する。該通信システムは、多くの送信機、一つのインターフェース、第一のフィルタ、および第二のフィルタを含んでいる。この多くの送信機は、多くの無線端末へと無線で情報を送るように構成される。前記インターフェースは、多くの無線端末の少なくとも幾つかを指定したメッセージを受信するように構成され、ここでの前記多くの無線端末は、一つの無線端末を含むものである。前記第一のフィルタは、予め定められた地理学的基準に一般的に対応した、前記多くの送信機のサブセットを決定するように構成され、ここでのサブセットはメッセージを送信するように構成される。第二のフィルタは、無線端末が予め定められた地理学的基準に対応するかどうかを決定するように構成される。
【００１０】
もう一つの実施形態において、本開示は、多重宛先メッセージをフィルタリングするための方法を提供する。一つのステップにおいて、多くの無線端末の少なくとも幾つかを指定したメッセージが受信され、ここでの多くの無線端末は一つの無線端末を含むものである。複数の送信機のサブセットが決定され、ここでの該サブセットは一般に予め定められた地理学的基準に対応する。前記メッセージは、該サブセットを使用して多くの無線端末へと無線送信される。該無線端末が予め定められた地理学的基準に対応するかどうかが決定される。
【００１１】
更にもう一つの実施形態において、本開示は、多重宛先メッセージをフィルタリングするための通信システムを提供する。当該通信システムは、メッセージを受信するための手段、決定するための第一の手段、送信するための手段、および決定するための第二の手段を含んでいる。メッセージを受信するための手段は、複数の無線端末の少なくとも幾つかを指定したメッセージを受信するように働き、ここでの複数の無線端末は一つの無線端末をも含むものである。決定するための第一の手段は、複数の送信機のサブセットを決定するように働き、ここでのサブセットは、一般には予め定められた地理的基準に対応する。送信するための手段は、前記サブセットを使用して、複数の無線端末にメッセージを無線で送信するように働く。決定するための第二の手段は、前記無線端末が予め定められた地理学的基準に対応するかどうかを決定するように働く。
【００１２】
更にもう一つの実施形態において、本開示は、多重宛先のメッセージをフィルタリングするための通信装置を提供するものであり、ここでの通信装置はプロセッサおよびメモリーを含んでいる。該プロセッサは、複数の無線端末（一つの無線端末を含む）の少なくとも幾つかを指定したメッセージを受信し；複数の送信機のサブセット（該サブセットは、一般には予め定められた地理学的基準に対応する）を決定し；該無線端末が予め定められた地理学的基準に対応するかどうかを決定し；また、前記サブセットを使用して、前記メッセージを複数の無線端末に無線で送信するように構成される。前記メモリーは前記プロセッサと結合される。
【００１３】
本開示の応用の更なる領域は、以下に提供される詳細な説明から明らかになるであろう。詳細な説明および特定の実施例は、種々の実施形態を示すものではあるが、例示のみの目的を意図したものであり、必ずしも本開示の範囲を限定するものではない。
【詳細な説明】
【００１４】
添付の図面と共に、本開示を説明する。
【００１５】
添付の図面において、同様の部品および／または特徴は同じ参照ラベルを有し得る。更に、同じタイプの種々の部品は、類似の部品の間を識別するダッシュおよび第二のラベルによる後続の参照ラベルによって区別されてよい。本明細書において第一の参照ラベルだけが使用されるならば、当該記述は、第二の参照ラベルとは無関係に、同じ第一の参照ラベルを有する類似の部品の何れにも適用可能である。
【００１６】
次の説明は、好ましい例示的実施形態を提供するに過ぎないものであり、本開示の範囲、適用可能性または構成を限定しようとするものではない。むしろ、好ましい例示的実施形態の以下の説明は、当業者に対して、好ましい例示的実施形態を実施可能にするための説明を提供するであろう。添付の特許請求の範囲に記載された精神および範囲を逸脱することなく、要素の機能および構成において種々の変更がなされ得ることが理解される。
【００１７】
一つの実施形態は、潜在的な標的ユーザのための位置基準を使用して、放送およびマルチキャストサービスにより送られた情報をフィルタリングし、斯かるユーザの数を減少させることなく、該情報を受信し且つ該情報を受信することを必要とするユーザの比率が有意に増大されるような方法を提供する。この方法および装置は、一組の標的ユーザを決定する際に位置が或る役割を果すときは何時でも適用可能である。
【００１８】
モバイル端末によって受信された情報と、モバイル端末のユーザによって受信される情報との間には差異が存在する。一般に、フィルタリングは、情報を受信して受信された情報を実際に使用できるモバイル端末のユーザ数を増大させる。これは、部分的に、または全体的に、受信された情報を、該受信された情報を使用できるユーザの代わりに使用できるモバイル端末の比率を増大させることによって達成されてよい。該モバイル端末は、標的の細分性が精密である更なるフィルタリングを支持することにおいては、より小さい役割を果たすか、または役割を果たさない可能性がある。また、受信された情報を使用できるもユーザに到達することは、受信された情報を使用できるユーザの代わりに情報を受信するモバイル端末の比率を増大させることによっても行うことができ、この場合には、モバイル端末は更なるフィルタリングを支持することにおいて大きな役割を果たし得る。この実施形態の幾つかの例が、以下で更に提供される。
【００１９】
一つの実施形態においては、位置情報および位置関連基準に基づく新規なタイプのフィルタが開示される。放送発信者は、放送された情報を受信することを可能にするために、または該放送された情報をユーザに伝達するために、或いは、特定の優先度指標と共に該情報を受信または伝達するために予期される標的モバイル端末が満たすべき特定の位置基準を定義することが許される。該基準は、種々の実施形態において下記を含むことができるが、これに限定されない：
（ａ）円、楕円、または多角形のような異なる二次元幾何学的形状により特定される、一定の指定された地理学的エリアの内側または外側における標的モバイル端末の現在位置。各形状は、一定の点の座標（例えば緯度、経度）に加えて、その幾何学的属性および寸法を特定することによって定義され得るであろう。例えば、円形領域は、その中心の座標に加えて、その半径によって特定され得るであろう。多角形は、その頂点の各々の座標を使用して特定されてよいであろう。
【００２０】
（ｂ）地表の上もしくは下または局所的地面標高の上もしくは下における、標的モバイル端末の現在の高さ。該高さは、その内側または外側で標的モバイル端末が必要とする距離として特定され得るであろう。
【００２１】
（ｃ）或る特定の将来の時間、または或る範囲の以前の時間、または過去の何れかの時間において、（ａ）および／または（ｂ）において定義された標的モバイル端末の以前の位置
（ｄ）或る特定の将来の時間、または或る範囲の以前の時間、または過去の何れかの時間において、（ａ）および／または（ｂ）において定義された標的モバイル端末の将来の位置。将来の位置は、モバイル端末の現在の移動の外挿に基づくものであってよく、或いは、幾つかの場合には、或る位置もしくはその近傍、または将来における或る位置の外または該位置から遠く離れた位置にあるべき、モバイル端末のユーザの既知の意図もしくは要求に基づいてもよいであろう。例えば、ユーザは、当該モバイル端末のルーティング機能の中に目的の住所を登録しているかもしれない。
【００２２】
（ｅ）上記（ａ）（ｂ）（ｃ）および／または（ｄ）のようにではあるが、市民生活的に表現されるモバイル端末の位置、例えば、特定の郵便宛先、郵便宛先の範囲、通りまたは一組の通りの名称、建物、市／地域／州の境界、または周知の場所（例えば空港、商店街、スポーツスタジアム、劇場、ホテル）の名称および／または住所。高さの場合、床または地下二階のレベルが使用できるであろう。
【００２３】
（ｆ）当該基準に資格を与えるために、その内側または外側で標的モバイル端末が移動している区域として表現された、標的モバイル端末の現在の速度。
【００２４】
（ｇ）当該基準に資格を与えるために、その内側または外側で標的モバイル端末が移動している区域として表現された、標的モバイル端末の現在の挙動（移動の方向）。
【００２５】
（ｈ）標的モバイル端末の移動の、過去および／または将来の速度および／または過去および／または将来の方向。
【００２６】
論理的「アンド」演算、論理的「オア」演算、および論理的「ノット」演算を使用して、２以上の上記基準を組み合わせることにより更に精細なレベルのフィルタリングを提供するために、上記基準の如何なる論理的組合せも使用できるであろう。例えば、主要なハイウエイの一方向での閉鎖（他方向では違う）に関する情報は、該閉鎖の直ぐ近傍において移動するモバイル端末を識別する位置基準（例えば、ハイウエイに入ることを考慮している可能性の或るユーザ）に加えて（論理的「オア」）、その現在の位置、速度および挙動が、該閉鎖が解除されるよりも前に当該閉鎖に到着する可能性を示唆するモバイル端末に関連付けられるであろう。もう一つの例では、竜巻警報が、一定の高い建物の中の標的モバイル端末に送信される可能性があり、その一定の床レベルよりも上の高さでは、それらに通知されるような大きな危険に曝されるものである。更にもう一つの例においては、商店街における遺失物（例えば時計、宝石、現金）の発見に関する情報が、発見の時刻またはその近くでのそれらの以前の位置が、前記商店街またはその近傍にあった標的モバイル端末に送られてよいであろう。
【００２７】
上記の基準は、放送メッセージの性質（例えば、個人的、仕事関連、公共的または緊急性）、前記情報が重要になる時刻（例えば、セールスイベントが生じる日付）、および送信者のカテゴリー（例えば、ユーザの無線ネットワークオペレータ、友人／関連、雇用主、公共安全）のような、一定の非地理学的基準と組み合わせることができるであろう。次いで、何等かのフィルタリング動作が全ての利用可能な基準を組合せて、有用性（例えばユーザに対する優先度）、情報が提示されるモード（例えば音声、視覚、および／または触覚信号を使用するかどうか）、並びに、可能であれば情報が提示される時（例えば直ちに、幾らかの定義された時間だけ遅く、またはユーザが後で新たな情報を知るための何らかのリクエストをしたときのみ）を決定する。
【００２８】
このフィルタリング動作自身は、種々の実施形態において、ネットワークにより、および／またはユーザの無線端末により、および／またはユーザにより行われることができるであろう。ユーザによる手動フィルタリングは、遅延およびエラーの可能性、並びにユーザが当該メッセージを廃棄してしまう場合にはユーザを混乱させるので、これは最後の手段であり、可能であれば完全に回避されるべきである。ネットワークフィルタリングの場合、該ネットワーク［例えば、無線ネットワークモバイル交換センター（ＭＳＣ）、サービングＧＰＲＳ支援ノード（ＳＧＳＮ）、コールサーバー制御機能（ＣＳＣＦ）、ベースステーションサブシステム（ＢＳＳ）、ラジオネットワークコントローラ（ＲＮＣ）］は、モバイル端末の位置を決定することによって、またはもう一つの実体［例えば位置決定エンティティー（ＰＤＥ）若しくはサービングモバイル位置センター（ＳＭＬＣ）またはユーザ装置（ＵＥ）自身］に照会することにより、予測される標的無線端末の現在の位置、高さ、速度および挙動に関する情報を得ることができる。使用され得る位置決め方法には、強化されたセル識別（ＩＤ）、到達のアップリンク時間差（Ｕ−ＴＤＯＡ）、強化された観察時間差（Ｅ−ＯＴＤ）、到達の観察時間差（ＯＴＤＯＡ）、支援されたグローバル位置決めシステム（Ａ−ＧＰＳ）、および／またはＧＰＳのような現存する機能が含まれる。幾つかの実施形態においては、ガリレオのような将来の位置決めシステムも使用できるであろう。
【００２９】
加えて、通信ネットワークは、以前に得られ且つ保存された位置履歴情報を検索し、またはこの情報について、或るサーバに照会することができる。該ネットワークはまた、例えばモバイル端末の現在の位置、速度および挙動に基づいて、モバイル端末の将来の位置、または可能な将来の位置の範囲を外挿または予測することを試みてよい。放送に付随したこの位置情報および位置基準に基づいて、当該ネットワークは、特定の放送情報が当該モバイル端末に送信されるべきか、または送信されるべきでないかを決定すればよい。
【００３０】
或いは、該位置情報および位置基準に基づいて、当該ネットワークは、当該情報にアクセスするかどうか、および何時アクセスするかを決定する上でモバイル端末を補助するように、重要度のレベルを示す或る種の優先度または他の指標と共に、放送情報がモバイル端末に送られるべきことを決定してよい。この優先度または類似の指標は、放送情報自身の重要度、およびモバイル端末の位置情報が関連の位置基準に合致する度合いの両方によって決定されてよいであろう。次いで、優先度の指標は、適切な手段が、モバイル端末ユーザに対して、情報が入手可能であることについて注意喚起することを可能にする。例えば、ユーザが直ちにアクセスすべき特に緊急の情報について、モバイル端末は、示された高い優先度に基づき、聴覚的、視覚的および／または触覚的（例えば振動）な合図によって、ユーザに対して直ちに警報することができる。その代りに、この優先度は、ユーザが直ちに必要ではないが近いうちにアクセスすべき、緊急性は低いが潜在的には重要である情報を示してもよい。この場合、モバイル端末は低レベルの聴覚的指標（例えば幾つかのビープ音）および／または視覚的合図（例えば画面上のアイコン）を提供してもよいであろう。
【００３１】
もう一つの実施形態において、当該情報は、マルチキャストグループの会員資格および／または無線ネットワークの特定セル区画内でのサービスのような粗いフィルタリング基準に基づいて、一組のモバイル端末に対して放送またはマルチキャストされてよい。該情報は、関連する位置基準を伴ってよい。モバイル端末は、例えばＡ−ＧＰＳ、ＧＰＳ、Ｅ−ＯＴＤ、アドバンスト・フォワードリンク・トリラテレーション（Ａ−ＦＬＴ）、ＯＴＤＯＡ、セル区画ＩＤ、エンハンストセルＩＤ、またはこれら方法の幾つかの組合せのような現存の位置決め方法、或いは、将来的には、ヨーロッパＧＡＬＩＬＥＯシステムのような新しい衛星位置決めシステムを使用することによって、当該モバイル端末についての現在の位置情報を得るであろう。モバイル端末はまた、以前の位置情報を検索し、直前における位置の読みを介して、または履歴パターンを介して、将来の位置情報を予測することもできるであろう。例えば、或る経路が通勤において殆ど毎朝とられれば、次の日に、該モバイル末端は、以前の通勤に類似したもう一つの通勤を予測してよく、或いは、位置変化が以前の通勤において観察された変化を反復し始めるときに、もう一つの通勤を予測してよい。
【００３２】
当該端末は、位置情報を放送情報のための位置基準と比較し、該情報がユーザに提示されるべきかどうか、またそうであるならば、如何なる優先度で提示すべきかを決定する。端末が、当該情報をユーザに提示すべきでこと、または該情報の存在についてユーザに注意喚起すべきことを決定し、また特定の優先度を得ることが可能であるとすると、該端末は、該情報を、ネットワークがこの決定を行って何れかの優先度情報を与えたかのように同じく処理してよい。例えば、それは何れかの特に緊急の情報を直ちにユーザに警報してもよく、或いは、優先度の低い情報については緊急度の低い遅延し得る注意喚起を提供してもよい。表には、位置に基づくメッセージについての、種々の分類のカスタマイズされた警報の例が列記されている。ユーザは、警報を設定するために、アプリケーション、またはウエッブ画面もしくは無線端末の画面と対話することができる。幾つかの場合、この警報は、ユーザが当該警報を認識する確率を増大させるために、端末によって、パーソナルエリアネットワークにおける他の装置（例えばＴＶもしくはコンピュータ）に中継されてよい。
【表１】
2009510843.tif 000003
【００３３】
放送されている情報に含まれる位置情報および端末のための位置情報に基づいて、モバイル端末がフィルタリングを実施する場合、全ての情報が受信される前に、該情報をユーザに提供すべきであるかどうかを決定することが可能であるかもしれない。該決定が、モバイル端末に情報を提示しないということであれば、該端末は、放送された情報の受信を中断し、それによって端末リソース（例えば電池、プロセッサ、メモリー）、および放送情報を受信するための可能な課金（不必要に使用される逆方向リンクリソース）を節減し、および／または他のタスクのために端末リソースを解放することが可能である。
【００３４】
ネットワークおよび端末の両方において、フィルタリング、例えば、モバイル端末から離れたネットワークにおいては特定のセルおよびセル区画に存在する端末により示される概略位置情報に基づく粗いフィルタリングを用い、端末においてはより精細で且つより包括的なフィルタリングを用いることが可能であろう。両方のフィルタリングモードはまた、フィルタリング自身をサポートできないかもしれない端末のサブセットをサポートするためにも用いることができるかもしれない。その場合、ネットワークはこれら端末のサブセットのためにフィルタリングを行うことができ、フィルタリングを行うことができる他の端末は、それ自身のためにこれを行う。
【００３５】
幾つかの場合、通信ネットワークは予期される無線端末の位置および／または個性の知識を少ししか持たないか、または全く有していないかもしれない。位置の知識がないことは、例えば、ＷＬＡＮまたはＷＬＡＮ位置が無線ネットワークに知られていないか、または確実には知られていないときに、その端末がＷＬＡＮにアクセスしているユーザについて起り得るであろう。個性および位置についての知識が無いことは、潜在的な受信者モバイル端末が受動的に働き（例えば、無線端末が呼出しまたは他のユーザ関連動作のサポートを要求されないとき）、またそれ自身を特定の放送についての潜在的受信者としてネットワークに対して認証させないときに、如何なる無線技術を用いる場合にも生じ得る。これは、オーバーヘッドでのシグナリングを減少させるために、或いは、放送／マルチキャストソリューションが幾人かまたは全てのユーザを識別できないときに生じ得る。このような場合、当該ネットワークは、情報を適切に受け取ってそれをユーザに伝えるために、意図した受信者よりも遥かに大きな一組のモバイル端末に情報を放送し、また該モバイル端末における位置フィルタリングに依存することを必要とするかもしれない。
【００３６】
もう一つの実施形態において、ネットワークまたはモバイル端末は、地理学的位置情報（例えば緯度および経度）を市民生活形態（例えば、通りの住所、建物の同定）に変換し、これを何らかの市民生活関連の位置基準と比較するために、データベースまたは他の方法を用いてよい。該ネットワークまたはモバイル端末はまた、市民生活が対および地理学型（例えば緯度／経度）の位置情報および基準を用いてよい。例えば、移動するモバイル端末が主要なハイウエイの閉鎖が解消する前に該閉鎖部分に到達する可能性があるかどうかを決定するためには、その市民生活形態への変換または市民生活的地図情報との比較によりハイウエイに沿った位置を確認する連続的な地理学的位置修正によって、モバイル端末が該ハイウエイに沿って実際に移動していることを確立する必要があるかもしれない。他の市民生活的マッピングには、国／州／国／市の境界を認識することが含まれる。メッセージは、市民生活的境界に対するそれらの位置に従って、モバイル端末上で実現できるであろう。
【００３７】
幾つかの適用例を下記に列記する：
（ａ）建物の中、建物の特定の区画、何れか他のエリアにいるユーザに対して、可能なまたは実際の脅威または危険（例えば家事、テロ、竜巻、地震、暴風雨の嵐、産業事故、構造的破損、および／または建物、道路、橋もしくはトンネルに対する損傷）を通知または警告するための、局在化された緊急事態通知サービスの提供。
【００３８】
（ｂ）現在の交通状態もしくは将来予測される交通状態をユーザに知らせること。この通知には、可能な代替ドライブ経路を含めることができるであろう。
【００３９】
（ｃ）公共輸送機関のユーザに対して、現在のまたは予測される遅延および解消を通知し、可能であれば代替の経路およびサービスを示すこと。
【００４０】
（ｄ）ユーザに対して、彼らの現在位置または将来の予測位置での、現在または将来の天候状態を知らせること。
【００４１】
（ｅ）以前に一定の位置またはその近傍にいたユーザ、例えば、交通事故を目撃したかもしれないユーザまたは伝染病に接触したかもしれないユーザにアクセスする。
【００４２】
（ｆ）特定の商店、商店街、娯楽エリア、または他の場所（例えば空港、ホテル、鉄道の駅、および／またはスポーツもしくはコンサートアリーナ）の中にいるユーザに対して、製品、サービス、セールおよび他の機会を宣伝する。
【００４３】
（ｇ）特定の場所にいるユーザまたは特定の場所に向かって進んでいるユーザに対して、旅行または観光情報を提供する。
【００４４】
最初に図１Ａを参照すると、通信システムの実施形態１００−１のブロック図が示されている。例えば、モバイル端末１２８は、衛星位置決めシステム（ＳＰＳ）を使用してそれらの位置を決定するために、衛星１３２を使用する。これらの衛星１３２は、全地球測位システム（ＧＰＳ）、ガリレオ、ＧＬＯＮＡＳＳ、ＮＡＶＳＴＡＲこれらシステムの組合せからの衛星を使用するシステム、または将来開発される何れかのＳＰＳに由来するものであってよい。ここで使用するとき、ＳＰＳはまた、擬似衛星システムを含むように理解されるであろう。
【００４５】
多くのモバイル端末１２８は、多くのベースステーションと通信する。モバイル端末は、携帯電話、無線通信装置、ユーザ装置、または他のパーソナル通信システム（ＰＣＳ）装置と称される。ベースステーションコントローラ１１１は、ベースステーション１２０と通信する。システムコントローラ１１２は、ベースステーションコントローラ１１１と直接的または間接的に通信する。幾つかの実施形態は、如何なる数のベースステーションコントローラ１１１およびベースステーション１２０を有してもよい。
【００４６】
多重宛先データベース１１０は、１以上のモバイル端末１２８への放送またはマルチキャストを意図したメッセージを保持する。各メッセージは、地理学的位置基準データベース１１６の中に定義された対応の地理学的位置基準を有している。この地理学的位置基準は、点、エリア、体積、高さ、および／または市民生活的境界であることができる。この実施形態は、予め定められた地理学的位置基準に一般に対応する特定のメッセージについて、ベースステーション１２０を選択する。各ベースステーション１２０は、この実施形態におけるセル区画に対応する。該地理学的位置基準に対応するベースステーションが決定され、それらの対応するベースステーション１２０が選択される。これらのベースステーション１２０は該メッセージを放送し、該地理学的位置基準におけるモバイル端末がこのメッセージを受け取る。種々のデータ記憶装置およびデータベースは、如何なる保存媒体であることもできるであろう。
【００４７】
図１Ｂを参照すると、通信システムのもう一つの実施形態１００−２のブロック図が示されている。この実施形態において、予め定められた地理学的位置基準内のこれらモバイル端末１２８は、適切なベースステーション１２０および通信チャンネルを選択することにより、メッセージをマルチキャストされる。
【００４８】
この実施形態は、各モバイル端末１０６の位置を知っており、その位置はモバイル端末位置データベース１０６に保存される。この実施形態においては、通信ネットワーク１００−２におけるシステムコントローラ１１２または幾つかの他の場所が、モバイル端末位置を決定する。ここに記載される位置決定技術は、無線広域ネットワーク（ＷＷＡＮ）、無線ローカルエリアネットワーク（ＷＬＡＮ）、無線パーソナルエリアネットワーク（ＷＰＡＮ）等のような種々の無線通信ネットワークのために使用されてよい。「ネットワーク」および「システム」の用語は、互換的に使用されることが多い。ＷＷＡＮは、コード分割多重アクセス（ＣＤＭＡ）ネットワーク、時間分割多重アクセス（ＴＤＭＡ）ネットワーク、周波数分割多重アクセス（ＦＤＭＡ）ネットワーク、直交性周波数分割多重アクセス（ＯＦＤＭＡ）ネットワーク、単一キャリア周波数分割多重アクセス（ＳＣ−ＦＤＭＡ）ネットワーク等であってよい。ＣＤＭＡネットワークは、ｃｄｍａ２０００、広帯域ＣＤＭＡ（Ｗ−ＣＤＭＡ）などのような１以上の無線アクセス技術（ＲＡＴ）を実装してよい。Ｃｄｍａ２０００は、ＩＳ−９５、ＩＳ−２０００、およびＩＳ−８５６標準を含んでいる。ＴＤＭＡネットワークは、モバイル通信のためのグローバルシステム（ＧＳＭ）、デジタルアドバンストモバイル電話システム（Ｄ−ＡＭＰＳ）、または幾つかの他のＲＡＴを実装してよい。ＧＳＭおよびＷ−ＣＤＭＡは、「第三世代パートナーシップ計画」（３ＧＰＰ）と称される共同事業体からの文書に記載されている。Ｃｄｍａ２０００は、「第三世代パートナーシップ計画２」（３ＧＰＰ２）と称される共同事業体からの文書に記載されている。３ＧＰＰおよび３ＧＰＰ２の文書は公的に入手可能である。ＷＬＡＮは、ＩＥＥＥ８０２．１１ｘネットワークであってよく、またＷＰＡＮはブルートゥースネットワーク、ＩＥＥＥ８０２．１５ｘ、または幾つかの他のタイプのネットワークであってよい。該技術はまた、ＷＷＡＮ、ＷＬＡＮおよび／またはＷＰＡＮの何れかの組合せのために使用されてよい。
【００４９】
図２Ａを参照すると、モバイル端末の実施形態１２８−１のブロック図が示されている。プロセッサ２０４の制御下で、モバイル端末１２８は幾つかの機能を実行することができる。無線トランシーバ２１６は、受理されたメッセージデータベース２２０中に保存するためのメッセージを受信する。予め定められた地理学的位置基準は、同じメッセージの中のメタデータとして、または該メッセージから分離して受信され、位置基準データベース１１８の中に保存される。警報基準２２４は受理されたメッセージに対して適用され、警報回路２１２を用いてユーザに通知される。
【００５０】
図２Ｂを参照すると、モバイル端末のもう一つの実施形態１２８−２のブロック図が示されている。この実施形態は、それ自身によっては位置を決定しないが、通信システム１００の他の部分を使用して位置を決定する。メッセージはモバイル端末１２８−２にマルチキャストされて、無線トランシーバにより受信されたら警報のために処理されるようになっている。
【００５１】
次に図２Ｃを参照すると、モバイル端末の更にもう一つの実施形態１２８−３のブロック図が示されている。この実施形態は、警報基準をモバイル端末１２８−３にローカルには保存しない。使用するための警報は、該メッセージと共に、または別のメッセージにおいて送られる。警報回路２１２は、当該メッセージの中に遠隔的に特定された警報を行う。モバイル端末１２８−３のユーザは、モバイル端末１２８−３が種々の警報を保存しなくとも選択された警報を実施できるように、システムコントローラを用いて該警報をセットアップすることができる。
【００５２】
図３Ａを参照すると、多くのモバイル端末１２８が描かれた地理学的レイアウト３００−１の実施形態の図が示されている。対応するベースステーション１２０がメッセージを送信できるように、通信システムの解像度は、地理学的位置を特定のセル３０４−２に分解する。予め定められた地理学的位置３０４−１は、この実施形態におけるセル面積よりも小さい。三つのモバイル端末１２８−１、１２８−２、１３８−３が予め定められた地理学的位置基準３０４−１内に存在し、それらが処理のためにメッセージを受取るようになっている。幾つかのモバイル端末１２８−４、１２８−５、１２８−６は、それらがセルエリアの中にあるのでメッセージを受信するが、それらの位置を予め定められた地理学的位置基準３０４−１に対してチェックした後に、該メッセージを使用しない。
【００５３】
次に図３Ｂを参照すると、多くのモバイル端末１２８が描かれた地理学的レイアウト３００−２の、もう一つの実施形態の図が示されている。この実施形態は、移動の方位および速度を、矢印および矢印の長さでそれぞれ示している。この実施形態における地理学的位置基準は、一定の方向に行く交通のための特定の道路である。例えば、モバイル端末１２８−１および１２８−２は、同じ道路を一つの方向に移動しており、またモバイル端末１２３−３および１２３−６は反対方向に移動している。地理学的位置基準は、１２８−１および１２８−２、および／または１２３−３および１２３−６を含むように定義することができる。該地理学的位置基準のモバイル端末に送られるメッセージは、その上を移動する道路に密接な関係がある交通警報であることができるであろう。幾つかのモバイル端末１２８が選択されたベースステーション１２０の通信範囲３０４内にあるが、二つだけが、この実施形態のための地理学的位置に含められるべき正しい方向に移動している。
【００５４】
図３Ｃを参照すると、多くのモバイル端末１２８が描かれた地理学的レイアウト３００−３の、更にもう一つの実施形態の図が示されている。この実施形態は、ベースステーションから発散する円形セルの３分の１である３０４−２に対してメッセージを放送する。該メッセージは、地理学的位置基準３０４−１が、該３分の１である３０４−２内の方形区画に限定されることを指示する。二つのモバイル端末１２８−１および１２８−２だけが、可能な警報のために該メッセージを受取って使用する。他のモバイル端末１２８は、該メッセージを受取ることができるであろうが、該モバイル端末の位置が地理学的位置基準の外であると決定されたときには、受信を中断し、またはそれを無視し、或いは低い優先度でユーザにそれを提供する。
【００５５】
次に図４Ａを参照すると、多重宛先メッセージをフィルタリングするプロセスの実施形態４００−１におけるフローチャートが示されている。該プロセスの描かれた部分はブロック４０４で始まり、ここでは種々のメッセージタイプのための警報が構成される。この構成は、モバイル端末１２８を用いて、或いはアプリケーションまたはシステムコントローラ１１２に対するインターフェースを介して行うことができる。メッセージは、ブロック４０８において、位置基準と共にシステムコントローラ１１２により受信される。該メッセージおよび位置基準は、データベース１１０、１１６に保存されてよい。ブロック４１２において、地理学的位置基準のための送信リソースが決定され、これは多数のベースステーションおよび／または多数のベースステーション群を選択することを含むことができるであろう。
【００５６】
この実施形態は、ブロック４１６において、位置基準メタデータが埋め込まれたメッセージを放送する。該メッセージは、ブロック４２０において１以上のモバイル端末１２８により受信される。モバイル端末１２８は、ブロック４２４において、その位置を決定するか、または外部的にモバイル端末１２８に中継された位置を使用する。当該地理学的位置基準は、ブロック４２８において分析され、ブロック４３２において、モバイル端末１２８の位置が基準を満たすかどうかを判断するための決定がなされる。プロセス４００−１は、位置基準が満たされない場合に終了し、メッセージの処理が停止される。
【００５７】
受理されたメッセージは、何れか適切な警報を決定および提示するために、更に処理される。ブロック４３６において、メッセージのクラスが決定される。これらのクラスは、ブロック４０４で構成されたメッセージタイプの分類に対応する。例えば、苛酷な気象警報は、飛行機遅延通知と同じレベルに類別されてよい。クラスが知れたら、該構成された警報はブロック４４０において配信されることができる。例えば、該クラスは振動警報および画面メッセージを生じてよい。該警報が配信されたら、この実施形態における処理は終了する。幾つかの実施形態は、永続的または一時的に切断されるまで、警報を配信し続けてもよい。
【００５８】
図４Ｂを参照すると、多重宛先メッセージをフィルタリングするプロセス４００−２のもう一つの実施形態のフローチャートが示されている。この実施形態は、図４Ａの実施形態と同様に、ブロック４１６を通して行われる。処理は、ブロック４１６からブロック４２４へと行き、そこではモバイル端末１２８だけを使用してモバイル端末１２８の外で、または該モバイル端末および他の構成部品の組合せを用いて、モバイル端末の位置が決定される。メッセージの受信は、ブロック４２１で開始される。
【００５９】
地理学的位置基準を知るための充分なメッセージが受信され、または他の方法で地理学的位置基準が受信されると、ブロック４２８において該基準が分析される。モバイル端末１２８の位置が位置基準を満たされない場合、残りのメッセージは受信されず、該プロセス４００−２は終了する。該基準が満たされれば、図４Ａの実施形態と同じ方法でブロック４３６および４４０が完了する前に、ブロック４２３においてメッセージの残りの部分が受信される。
【００６０】
図４Ｃを参照すると、多重宛先メッセージをフィルタリングするプロセスの更にもう一つの実施形態のフローチャートが示されている。この実施形態は、図４Ａの実施形態のブロック４１２を通してと同じ挙動をする。ブロック４１４において、位置基準内のモバイル端末が決定される４１４。システムコントローラ１１２は、各モバイル端末の位置を知っており、その何れが当該位置基準の下にあるかを決定することができる。メッセージは、適切なベースステーション１２０を使用して１以上のモバイル端末１２８へとマルチキャストされる。
【００６１】
ブロック４２０においてメッセージが受信されると、それは位置基準下にあると推定される。警報を分析および配信するために、処理はブロック４３６および４４０を通して継続される。ブロック４４０の後、プロセス４００−３は終了する。
【００６２】
図５を参照すると、多重宛先メッセージをフィルタリングするための通信システム５００の実施形態のブロック図が示されている。該通信システムは、メッセージを受信するための手段５０４、決定するための第一の手段５０８、送信するための手段５１２、および決定するための第二の手段５１６を含んでいる。メッセージを受信するための手段５０４は、複数の無線端末の少なくとも幾つかを指定したメッセージを受信するように働き、ここでの複数の無線端末は一つの無線端末を含む。決定するための第一の手段５０８は、複数の送信機のサブセットを決定するように働き、ここでのサブセットは一般に、予め定められた地理学的基準に対応する。送信するための手段５１２は、該サブセットを使用して複数の無線端末へとメッセージを無線で送信するように働く。決定するための第二の手段５１６は、無線端末が、予め定められた地理学的基準に対応するかどうかを決定するように働く。
【００６３】
実施形態の完全な理解を提供するように、上記の説明において、特定の詳細が与えられる。しかし、当該実施形態は、これら特定の詳細を伴わずに実施されてよいことが理解される。例えば、不必要な詳細において当該実施形態を不明瞭にしないために、回路はブロック図において示されてよい。他の例において、周知の回路、プロセス、アルゴリズム、構造、および技術は、当該実施形態を不明瞭にするのを回避するために、不必要な詳細を伴わずに示されてよい。
【００６４】
また、当該実施形態は、フローチャート、フロー図、データフロー図、構造図、またはブロック図として描かれるプロセスとして記述されてよいことが注目される。フローチャートは、一連のプロセスとして動作を記述してよいが、多くの動作は、並列または同時に実施することができる。加えて、動作の順序は再編成されてよい。プロセスは、その動作が完了したときに終了するが、図に含まれていない追加のステップを有することができるであろう。プロセスは、方法、機能、手順、サブルーチン、サブプログラム等に対応してよい。プロセスが機能に対応するとき、その終了は、呼び出し機能または主機能への機能の復帰に対応する。
【００６５】
更に、実施形態は、ハードウエア、ソフトウエア、スクリプト言語、ファームウエア、ミドルウエア、マイクロコード、ハードウエア記述言語、および／またはそれらの何れかの組合せによって実施されてよい。ソフトウエア、ファームウエア、ミドルウエア、スクリプト言語、および／またはマイクロコードにおいて実行されるときに、必要なタスクを実行するためのプログラムコード、またはコードセグメントは、保存媒体のような機械読み取り可能な媒体に保存されてよい。コードセグメントまたは機械で実行可能な命令は、手順、機能、サブプログラム、プログラム、ルーチン、サブルーチン、モジュール、ソフトウエアパッケージ、スクリプト、クラス、または命令の何れかの組合せ、データ構造、および／またはプログラムステートメントを表してよい。コードセグメントは、情報、データ、アーギュメント、パラメータ、および／またはメモリーコンテンツを伝達および／または受信することにより、もう一つのコードセグメント、またはハードウエア回路に結合されてよい。情報、アーギュメント、パラメータ、データ等は、メモリーシェアリング、メッセージパッシング、トークンパッシング、ネットワーク送信等を含む何れかの適切な手段を介して伝達され、転送され、または送信されてよい。
【００６６】
上記で述べた技術の実施は種々の方法で行われてよい。例えば、これらの技術は、ハードウエア、ソフトウエア、またはそれらの組合せにおいて実施されてよい。ハードウエア実施の場合、処理ユニットは、上記で述べた機能および／またはそれらの組み合わせを実施するように設計された１以上のアプリケーション特異的集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、他の電子ユニット内において実施されてよい。
【００６７】
ファームウエアおよび／またはソフトウエアの実施については、当該方法は、ここに記載された機能を実行するモジュール（例えば方法、機能など）を用いて実施されてよい。ここに記載した方法を実施する際には、命令を確実に実現する何れかの機械読み取り可能な媒体を使用してよい。例えば、ソフトウエアコードはメモリー、例えばモバイル端末のメモリーに保存されてよく、またプロセッサ、例えばモデムのマイクロプロセッサによって実行されてよい。メモリーは、プロセッサの内部またはプロセッサの外部に実装されてよい。ここで使用する「メモリー」の用語は、長期、短期、揮発性、不揮発性、または他の保存媒体の何れかのタイプを意味し、何れか特定のタイプのメモリーまたは多くのメモリー、或いはメモリーが保存される媒体のタイプに限定されるべきではない。
【００６８】
更に、ここに開示されるときに、「保存媒体」の用語は、データを保存するための１以上の装置を表し、リードオンリーメモリー（ＲＯＭ）、ランダムアクセスメモリー（ＲＡＭ）、磁気ＲＡＭ、コアメモリー、磁気ディスク保存媒体、光保存媒体、フラッシュメモリー装置、および／または情報を保存するための他の機械読み取り可能な媒体が含まれる。「機械読み取り可能な媒体」の用語には、携帯式または固定式の保存装置、光学的保存装置、無線チャンネル、および／または、命令および／またはデータを保存でき、含めることができ、または担持することができる種々の他の媒体が含まれるが、これらに限定されない。
【００６９】
特定の装置および方法に関連して、上記で本開示の原理を説明してきたが、これらは実施例としてのみ記載されたものであり、本開示の範囲に対する限定として記載されたものではない。
【図面の簡単な説明】
【００７０】
【図１Ａ】図１Ａは、通信システムの実施形態のブロック図を示している。
【図１Ｂ】図１Ｂは、通信システムの実施形態のブロック図を示している。
【図２Ａ】図２Ａは、モバイル端末の実施形態のブロック図を示している。
【図２Ｂ】図２Ｂは、モバイル端末の実施形態のブロック図を示している。
【図２Ｃ】図２Ｃは、モバイル端末の実施形態のブロック図を示している。
【図３Ａ】図３Ａは、多くのモバイル端末を示す地理学的レイアウトの実施形態の図を示している。
【図３Ｂ】図３Ｂは、多くのモバイル端末を示す地理学的レイアウトの実施形態の図を示している。
【図３Ｃ】図３Ｃは、多くのモバイル端末を示す地理学的レイアウトの実施形態の図を示している。
【図４Ａ】図４Ａは、多重宛先メッセージをフィルタリングする方法の実施形態のフローチャートを図示している。
【図４Ｂ】図４Ｂは、多重宛先メッセージをフィルタリングする方法の実施形態のフローチャートを図示している。
【図４Ｃ】図４Ｃは、多重宛先メッセージをフィルタリングする方法の実施形態のフローチャートを図示している。
【図５】図５は、通信システムの実施形態のブロック図を示している。
【図１Ａ】
2009510843.tif 000004
【図１Ｂ】
2009510843.tif 000005
【図２Ａ】
2009510843.tif 000006
【図２Ｂ】
2009510843.tif 000007
【図２Ｃ】
2009510843.tif 000008
【図３Ａ】
2009510843.tif 000009
【図３Ｂ】
2009510843.tif 000010
【図３Ｃ】
2009510843.tif 000011
【図４Ａ】
2009510843.tif 000012
【図４Ｂ】
2009510843.tif 000013
【図４Ｃ】
2009510843.tif 000014
【図５】
2009510843.tif 000015
【国際調査報告】
2009510843.tif 000016
2009510843.tif 000017
2009510843.tif 000018